(57)【要約】高所へ向けて取り扱いやすい電気掃除機を提供する。電気掃除機（１）は、順に並ぶ吸込口体（６）、集塵部（２１）、および電動送風機（２２）と、吸込口体（６）、集塵部（２１）、および電動送風機（２２）の並びの延長上に延びる電池収納筒体（１２）と、電池収納筒体（１２）に外嵌めされ、電池収納筒体（１２）に沿って移動可能な把手部（１３）と、を備えている。
2018101085.tif 000002
【特許請求の範囲】
【請求項１】
順に並ぶ吸込口体、集塵部、および電動送風機と、  前記吸込口体、前記集塵部、および前記電動送風機の並びの延長上に延びる棒体と、  前記棒体に外嵌めされ、前記棒体に沿って移動可能な把手部と、を備える電気掃除機。
【請求項２】
前記棒体に収容され、直線状に並ぶ複数の二次電池を備える請求項１に記載の電気掃除機。
【請求項３】
前記電動送風機の回転軸と前記棒体の中心線とが実質的に直線的に配置されている請求項１または２に記載の電気掃除機。
【請求項４】
前記棒体と前記把手部との間には隙間が生じている請求項１から３のいずれか１項に記載の電気掃除機。
【請求項５】
前記複数の二次電池は、前記棒体の一部の個所に並んでいる請求項２に記載の電気掃除機。
【請求項６】
前記電動送風機の回転軸と前記棒体のうち前記複数の二次電池を収容する部分の中心線と前記棒体のうち前記複数の二次電池を非収容の部分の中心線とが実質的に直線的に配置されている請求項５に記載の電気掃除機。
【請求項７】
前記電動送風機を収容する本体ケースと、  伸縮可能な延長管と、を備え、  前記延長管、前記本体ケース、前記棒体は、順に並び、  前記延長管の中心と前記電動送風機の回転軸と前記棒体の中心線とが実質的に直線的に配置されている請求項１または２に記載の電気掃除機。
【請求項８】
前記把手部に設けられ、前記電動送風機の運転指示と停止指示とを入力可能な入力部を備える請求項１から７のいずれか１項に記載の電気掃除機。
【請求項９】
前記電動送風機を収容する本体ケースと、  前記本体ケースに収容され、前記電動送風機の運転を制御する制御部と、  前記把手部に設けられ、前記運転指示と前記停止指示を無線送信する送信部と、  前記本体ケースに設けられ、前記運転指示と前記停止指示を無線受信し、前記制御部に伝える受信部と、を備える請求項１から６、および８のいずれか１項に記載の電気掃除機。
【請求項１０】
前記電動送風機を収容する筒形の本体ケースを備え、  前記本体ケースの外形寸法は、前記電池収納筒体の外形寸法よりも大きい請求項１から６、および８に記載の電気掃除機。
【請求項１１】
順に並ぶ吸込口体、集塵部、および電動送風機と、  前記吸込口体、前記集塵部、および前記電動送風機の並びの延長上に延びる電池収納筒体と、  前記電池収納筒体に収容され、直線状に並ぶ複数の二次電池と、  前記電池収納筒体の外周に設けられた把手部と、を備える電気掃除機。
【請求項１２】
前記電動送風機の回転軸と前記電池収納筒体の中心線とが実質的に直線的に配置されている請求項１１に記載の電気掃除機。
【請求項１３】
前記電動送風機を収容する筒形の本体ケースを備え、  前記本体ケースの外形寸法は、前記電池収納筒体の外形寸法よりも大きい請求項１０または１２に記載の電気掃除機。
【発明の詳細な説明】
【技術分野】
【０００１】  本発明に係る実施形態は電気掃除機に関する。
【背景技術】
【０００２】  ホースと、ホースに接続される延長管と、延長管に摺動可能に設けられる把手部と、を備えるキャニスター型（床移動型）の電気掃除機が知られている。【０００３】  また、二次電池を内蔵したコードレス型の電気掃除機が知られている。
【先行技術文献】
【特許文献】
【０００４】
【特許文献１】特開２００３−２１９９９５号公報
【発明の概要】
【発明が解決しようとする課題】
【０００５】  ところで、カーテンや家具の天面のような高所を掃除する際、使用者は、延長管を伸縮させて長さを調整し、掃除したい場所へ吸込口体を差し向ける。【０００６】  しかしながら、使用者が手に握る把手部から吸込口体までの長さを伸縮させるために、吸込口体に最も近い延長管のみを伸縮可能な構造、例えばテレスコピック構造にすることは、把手部から吸込口体までの部位の重心を、より吸込口体側に近づける。つまり、把手部から吸込口体までの部位の重心は、把手部から遠ざかる。重心が把手部から遠いほど、高所へ向けて取り扱うことが難しくなり、利便性を低下させる。【０００７】  そこで、本発明は、高所へ向けて取り扱いやすい電気掃除機を提案する。
【課題を解決するための手段】
【０００８】  前記の課題を解決するため本発明の実施形態に係る電気掃除機は、順に並ぶ吸込口体、集塵部、および電動送風機と、前記吸込口体、前記集塵部、および前記電動送風機の並びの延長上に延びる棒体と、前記棒体に外嵌めされ、前記棒体に沿って移動可能な把手部と、を備えている。【０００９】  また、本発明の実施形態に係る電気掃除機は、前記電動送風機の回転軸と前記電池収納筒体の中心線とが実質的に直線的に配置されていることが好ましい。【００１０】  さらに、本発明の実施形態に係る電気掃除機は、前記把手部に設けられ、前記電動送風機の運転指示と停止指示とを入力可能な入力部を備えていることが好ましい。【００１１】  さらにまた、本発明の実施形態に係る電気掃除機は、前記電動送風機を収容する本体ケースと、前記本体ケースに収容され、前記電動送風機の運転を制御する制御部と、前記把手部に設けられ、前記運転指示と前記停止指示を無線送信する送信部と、前記本体ケースに設けられ、前記運転指示と前記停止指示を無線受信し、前記制御部に伝える受信部と、を備えていることが好ましい。【００１２】  また、本発明の実施形態に係る電気掃除機は、前記棒体に収容され、直線状に並ぶ複数の二次電池を備えていることが好ましい。【００１３】  さらに、本発明の実施形態に係る電気掃除機は、前記電動送風機の回転軸と前記棒体の中心線とが実質的に直線的に配置されていることが好ましい。【００１４】  さらにまた、本発明の実施形態に係る電気掃除機は、前記棒体と前記把手部との間には隙間が生じていることが好ましい。【００１５】  また、本発明の実施形態に係る電気掃除機の前記複数の二次電池は、前記棒体の一部の個所に並んでいることが好ましい。【００１６】  さらに、本発明の実施形態に係る電気掃除機は、前記電動送風機の回転軸と前記棒体のうち前記複数の二次電池を収容する部分の中心線と前記棒体のうち前記複数の二次電池を非収容の部分の中心線とが実質的に直線的に配置されていることが好ましい。【００１７】  さらにまた、本発明の実施形態に係る電気掃除機は、前記電動送風機を収容する本体ケースと、伸縮可能な延長管と、を備え、前記延長管、前記本体ケース、前記棒体は、順に並び、前記延長管の中心と前記電動送風機の回転軸と前記棒体の中心線とが実質的に直線的に配置されていることが好ましい。【００１８】  また、本発明の実施形態に係る電気掃除機は、前記把手部に設けられ、前記電動送風機の運転指示と停止指示とを入力可能な入力部を備えていることが好ましい。【００１９】  さらに、本発明の実施形態に係る電気掃除機は、前記電動送風機を収容する本体ケースと、前記本体ケースに収容され、前記電動送風機の運転を制御する制御部と、前記把手部に設けられ、前記運転指示と前記停止指示を無線送信する送信部と、前記本体ケースに設けられ、前記運転指示と前記停止指示を無線受信し、前記制御部に伝える受信部と、を備えていることが好ましい。【００２０】  さらにまた、本発明の実施形態に係る電気掃除機は、前記電動送風機を収容する筒形の本体ケースを備え、前記本体ケースの外形寸法は、前記電池収納筒体の外形寸法よりも大きいことが好ましい。【００２１】  そして、前記の課題��解決するため本発明の実施形態に係る電気掃除機は、順に並ぶ吸込口体、集塵部、および電動送風機と、前記吸込口体、前記集塵部、および前記電動送風機の並びの延長上に延びる電池収納筒体と、前記電池収納筒体に収容され、直線状に並ぶ複数の二次電池と、前記電池収納筒体の外周に設けられた把手部と、を備えている。【００２２】  また、本発明の実施形態に係る電気掃除機は、前記電動送風機の回転軸と前記電池収納筒体の中心線とが実質的に直線的に配置されていることが好ましい。【００２３】  さらに、本発明の実施形態に係る電気掃除機は、前記電動送風機を収容する筒形の本体ケースを備え、前記本体ケースの外形寸法は、前記電池収納筒体の外形寸法よりも大きいことが好ましい。
【図面の簡単な説明】
【００２４】
【図１】本発明の実施形態に係る電気掃除機の斜視図。
【図２】本発明の実施形態に係る電気掃除機の断面図。
【図３】本発明の実施形態に係る電気掃除機の使用状態の一例を示す図。
【発明を実施するための形態】
【００２５】  以下、本発明に係る電気掃除機の実施形態について図１から図３を参照して説明する。
【００２６】  図１は、本発明の実施形態に係る電気掃除機の斜視図である。
【００２７】  図２は、本発明の実施形態に係る電気掃除機の断面図である。
【００２８】  図１に示すように、本実施形態に係る電気掃除機１は、いわゆるスティック型である。電気掃除機１は、吸込口５を有する吸込口体６と、伸縮可能な延長管７と、筒形の掃除機本体１１と、電池収納筒体１２と、把手部１３と、を備えている。また、電気掃除機１は、二次電池１５を有するコードレス型である。
【００２９】  なお、図２の電気掃除機１は、吸込口体６および延長管７が取り外されている。
【００３０】  吸込口体６、延長管７、掃除機本体１１、電池収納筒体１２、および把手部１３は、いずれも細長く、延伸方向が一致している。なお、吸込口体６、延長管７、掃除機本体１１、電池収納筒体１２、および把手部１３の延伸方向は、一直線に並んでいても良いし、平行にずれていても良い。また、吸込口体６側の電気掃除機１の端を電気掃除機１の前端とし、把手部１３側の電気掃除機１の端を電気掃除機１の後端とする。
【００３１】  掃除機本体１１は、吸込口体６、延長管７、電池収納筒体１２、および把手部１３よりも外径が大きく、電気掃除機１のうち最も外径の大きい部位である。掃除機本体１１は、延長管７が着脱自在に接続される本体接続口１８と、本体ケース１９と、本体ケースに収容される集塵部２１、電動送風機２２、および制御部２３と、を備えている。
【００３２】  本体接続口１８は、延長管７を着脱可能な継手構造を有している。本体接続口１８は、電気掃除機１の延伸方向に延び、本体ケース１９に固定されている。本体接続口１８は、掃除機本体１１の流体的な入口である。本体接続口１８は、延長管７と集塵部２１とを流体的に接続している。本体接続口１８は、延長管７を取り外すことによって、掃除機本体１１を単体で使用する際の吸込口としても機能する。
【００３３】  本体ケース１９は、集塵部２１および電動送風機２２を収容する筒部１９ａと、筒部１９ａに連接し、電気掃除機１の後端へ向かって縮径するテーパ部１９ｂと、テーパ部１９ｂに連接する電池収納筒体固定部１９ｃと、を備えている。
【００３４】  筒部１９ａは、実質的に一様な外径を有している。筒部１９ａは、電気掃除機１の最大径をなしている。
【００３５】  テーパ部１９ｂは、電動送風機２２の排気を本体ケース１９外へ流出させる複数の排気口２５を有している。排気口２５は、テーパ部１９ｂの延伸方向に延びるスリット形の開口である。
【００３６】  集塵部２１は、本体ケース１９の前端部に配置され、かつ本体接続口１８に流体的に接続されている。集塵部２１は、本体ケース１９の径方向へ着脱可能に装着されている。集塵部２１は、掃除機本体１１に流れ込む、塵埃を含んだ空気から塵埃を分離し、捕集し、蓄積する一方、塵埃が除去された清浄な空気を電動送風機２２へ送る。集塵部２１は、遠心分離方式であっても良いし、濾過分離方式であっても良い。
【００３７】  電動送風機２２は、集塵部２１から空気を吸い込んで負圧（吸込負圧）を発生させる。電動送風機２２の回転軸２２ａは、電気掃除機１の延伸方向に延びている。電動送風機２２の回転軸２２ａは、実質的に本体ケース１９の筒部１９ａの中心線に沿って配置されている。電動送風機２２は、二次電池１５に蓄えられた電力によって駆動される。
【００３８】  制御部２３は、本体ケース１９の筒部１９ａとテーパ部１９ｂとの境界部分に配置されている。制御部２３は、電動送風機２２の排気に晒される。制御部２３は、マイクロプロセッサ（図示省略）、およびマイクロプロセッサが実行する各種演算プログラム、パラメータなどを記憶する記憶装置（図示省略）を備えている。記憶装置は、予め設定される複数の運転モードを記憶している。予め設定される複数の運転モードは、電動送風機２２の運転出力の大小に関連付けられている。
【００３９】  電池収納筒体１２は、実質的に一様な外径の管、または棒である。電池収納筒体１２は、二次電池１５の保持と保護、また電気掃除機１の自重を支えることが可能な剛性を有している。電池収納筒体１２の後端部は、二次電池１５が抜け出さないよう閉じられている。
【００４０】  吸込口体６、延長管７、集塵部２１、および電動送風機２２は、この順に並んでいる。また、電池収納筒体１２は、吸込口体６、延長管７、集塵部２１、および電動送風機２２の並びの延長上（並びの延長方向）に延びている。
【００４１】  電池収納筒体１２の中心線は、本体ケース１９の筒部１９ａの中心線に実質的に一致している。つまり、電動送風機２２の回転軸と電池収納筒体１２の中心線とは、実質的に直線的、または同一線上に配置されている。
【００４２】  二次電池１５は、例えば円筒型リチウムイオン電池である。二次電池１５は複数あり、電池収納筒体１２に収容されている。複数の二次電池１５は、電池収納筒体１２内に直線状に並べられている。複数の二次電池１５は、電池収納筒体１２の全長に渡って並んでいても良い。複数の二次電池１５は、電池収納筒体１２の長手方向（延伸方向）における一部の個所に並んでいても良い。例えば、複数の二次電池１５は、掃除機本体１１側に集中していても良いし、電池収納筒体１２の末端側（自由端側、掃除機本体１１から見て遠い側の端部側）に集中していても良い。複数の二次電池１５は、電池収納筒体１２の長手方向（延伸方向）における中央部に集中していても良い。複数の二次電池１５は、電池収納筒体１２の長手方向（延伸方向）に飛び飛びに並んでいても良い。電池収納筒体１２のうち複数の二次電池１５を収容する部分の中心線と電池収納筒体１２のうち複数の二次電池１５を非収容の部分の中心線とは、実質的に直線的に配置されている。電池収納筒体１２の内径は、二次電池１５の外径よりも若干大きい。二次電池１５の充電端子（図示省略）は、掃除機本体１１の適宜の箇所、例えば電池収納筒体固定部１９ｃの根元に設けられる。
【００４３】  把手部１３は、電池収納筒体１２に外嵌めされ、電池収納筒体１２に沿って移動できる。把手部１３は、適宜の摩擦力によって位置決めされている。つまり、把手部１３は、電池収納筒体１２に接触して適宜の摩擦力を生じる一方で、把手部１３と電池収納筒体１２とは適宜に離間して把手部１３と電池収納筒体１２との間に適宜の隙間を生じている。なお、電気掃除機１は、把手部１３を電池収納筒体１２に固定するロック機構（図示省略）を備えていても良い。
【００４４】  把手部１３には、電動送風機２２の運転指示と停止指示とを入力可能な入力部２６が設けられている。入力部２６は、把手部１３を握った使用者が、その手指で操作可能な位置に設けられている。入力部２６は、電動送風機２２の運転開始操作が入力される運転開始スイッチ２６ａと、電動送風機２２の運転停止操作が入力される運転停止スイッチ２６ｂと、を備えている。
【００４５】  電気掃除機１の使用者は、入力部２６を操作して電動送風機２２の運転モードを択一的に選択できる。運転開始スイッチ２６ａは、電動送風機２２の運転中に、運転モードの切替スイッチとしても機能する。制御部２３は、運転開始スイッチ２６ａから操作信号が入力される度に運転モードを強→中→弱→強→中→弱→………の順に切り換える。なお、入力部２６は、運転開始スイッチ２６ａに代えて、強運転スイッチ（図示省略）、中運転スイッチ（図示省略）、および弱運転スイッチ（図示省略）を個別に備えていても良い。
【００４６】  複数の運転モードは、電動送風機２２の運転出力の大小に関連付けられている。それぞれの運転モードには、相互に異なる入力値（電動送風機２２の入力値）が予め設定されている。制御部２３は、入力部２６に入力される操作に応じて、その操作内容に対応する任意の運転モードを複数の運転モードから択一的に選択し、設定内容を記憶部から読み出し、読み出した運転モードの設定内容にしたがって電動送風機２２を制御する。
【００４７】  また、電気掃除機１は、把手部１３に設けられ、運転指示と停止指示を無線送信する送信部２８と、本体ケース１９に設けられ、運転指示と停止指示を無線受信し、制御部２３に伝える受信部２９と、を備えている。
【００４８】  送信部２８および受信部２９は、例えば電波や光によって無線通信を行う。光、例えば赤外線を用いる場合には、送信部２８および受信部２９は、把手部１３の位置に係わらず通信可能なように、電気掃除機１の周方向において同位相に配置され対向していることが好ましい。また、送信部２８および受信部２９は、把手部１３を握る使用者の手に邪魔されないよう配置されていることが好ましい。例えば、送信部２８は、把手部１３の前端部に配置され、受信部２９は、本体ケース１９の後端部に配置される。
【００４９】  延長管７および吸込口体６は、電動送風機２２から作用する負圧によって、被掃除物、例えば床面、家具、およびカーテンに付着する塵埃を空気とともに吸い込んで掃除機本体１１へ案内する。
【００５０】  複数の筒体を重ね合わせたテレスコピック構造の延長管７は、伸縮可能な管である。延長管７は、本体ケース１９の本体接続口１８および集塵部２１を介して電動送風機２２の吸込側に流体的に接続されている。延長管７の一方の端部には、本体接続口１８に着脱可能な継手構造が設けられている。延長管７の他方の端部には、吸込口体６を着脱可能な継手構造が設けられている。延長管７は多段階、例えば三段階に伸縮できる。延長管７は、各段に伸張状態または短縮状態の固定とその解除とを行うロック機構３１を備えている。
【００５１】  吸込口体６は、例えば家具の隙間やベッドの下などの狭隘な掃除箇所や、いわゆる冷暖房機のような空気調和装置の室内機の上面のような高所にある目視困難な掃除箇所を掃除する用途に適している。吸込口体６は、吸込口５を有する長手形状の吸込体３５と、吸込体３５に流体的に接続される管部３６と、管部３６の途中にある関節３７、３８と、関節３７、３８のそれぞれを適宜の回転角度毎に複数の箇所で位置決め可能な位置決機構４１、４２と、を備えている。管部３６は、延長管７に着脱可能な継手構造を有している。
【００５２】  電気掃除機１は、電動送風機２２が停止している状態で運転開始スイッチ２６ａが操作されると電動送風機２２を始動させる。電気掃除機１は、運転開始スイッチ２６ａが操作されると、先ず電動送風機２２を強運転モードで運転し、再び運転開始スイッチ２６ａが操作されると電動送風機２２を中運転モードで運転し、三度、運転開始スイッチ２６ａが操作されると電動送風機２２を弱運転モードで運転し、以下同様に繰り返す。強運転モード、中運転モードおよび弱運転モードは、予め設定される複数の運転モードであり、強運転モード、中運転モード、弱運転モードの順に電動送風機２２への入力値が小さい。始動した電動送風機２２は、集塵部２１から空気を排気してその内部を負圧にする。
【００５３】  集塵部２１内の負圧は、本体接続口１８、延長管７、および吸込口体６を順次に通じて吸込口５に作用する。電気掃除機１は、吸込口５に作用した負圧によって、被掃除面物に付着する塵埃を空気とともに吸い込む。集塵部２１は、電気掃除機１に吸い込まれた含塵空気から塵埃を分離し、蓄積する一方で、含塵空気から分離した空気を電動送風機２２へ送る。電動送風機２２は、集塵部２１から吸い込んだ空気を掃除機本体１１外へ排気する。
【００５４】  図３は、本発明の実施形態に係る電気掃除機の使用状態の一例を示す図である。
【００５５】  図３に示すように、本実施形態に係る電気掃除機１は、把手部１３を電池収納筒体１２の後端部に移動させることによって、例えば高所の掃除を行うことができる。
【００５６】  なお、空気調和機の室内機ｉｅの天面の高さは、高さ約２メートルの掃き出し窓の上方に若干の距離（約１０センチメートル）を隔てて高さ約２５センチメートルから約３０センチメートルの室内機を配置した場合、すなわち約２メートル３５センチメートルから約２メートル４０センチメートルを想定している。
【００５７】  本実施形態に係る電気掃除機１は、順に並ぶ吸込口体６、延長管７、集塵部２１、および電動送風機２２と、吸込口体６、延長管７、集塵部２１、および電動送風機２２の並びの延長上（並びの延長方向）に延びる電池収納筒体１２と、電池収納筒体１２に収容され、直線状に並ぶ複数の二次電池１５と、電池収納筒体１２に外嵌めされ、電池収納筒体１２に沿って移動可能な把手部１３と、を備えている。つまり、電気掃除機１は、二次電池１５の収納領域（電池収納筒体１２）を電気掃除機１の全長を延ばすために活用し、かつ把手部１３の近傍に二次電池１５の重量を集中させる。そのため、電気掃除機１は、高所へ向けて取り扱いやすく、かつ、より遠方へ吸込口体６を差し向けることができる。
【００５８】  また、本実施形態に係る電気掃除機１は、電動送風機２２の回転軸と電池収納筒体１２の中心線とが実質的に直線的または同一線上に配置されている。そのため、電気掃除機１は、電動送風機２２の運転による電気掃除機１の径方向における振動の発生を抑制し、取り扱いやすさを向上させる。
【００５９】  さらに、本実施形態に係る電気掃除機１は、把手部１３に設けられ、電動送風機２２の運転指示と停止指示とを入力可能な入力部２６を備えている。そのため、電気掃除機１は、把手部１３を電池収納筒体１２の後端部に移動させ、電気掃除機１の全長を伸張させた状態であっても、入力部２６の手元操作を提供できる。
【００６０】  さらにまた、本実施形態に係る電気掃除機１は、把手部１３に設けられる送信部２８と、本体ケース１９に設けられる受信部２９と、を備えている。そのため、通信用の有線を必要とせず、また通信線を保護するための構造を必要としない。つまり電気掃除機１は、より軽量化される。
【００６１】  したがって、本実施形態に係る電気掃除機１によれば、高所へ向けて取り扱いやすい。
【００６２】  本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】  １…電気掃除機、５…吸込口、６…吸込口体、７…延長管、１１…掃除機本体、１２…電池収納筒体、１３…把手部、１５…二次電池、１８…本体接続口、１９…本体ケース、１９ａ…筒部、１９ｂ…テーパ部、１９ｃ…電池収納筒体固定部、２１…集塵部、２２…電動送風機、２２ａ…回転軸、２３…制御部、２５…排気口、２６…入力部、２６ａ…運転開始スイッチ、２６ｂ…運転停止スイッチ、２８…送信部、２９…受信部、３１…ロック機構、３５…吸込体、３６…管部、３７、３８…関節、４１、４２…位置決機構。
【図１】
2018101085.tif 000003
【図２】
2018101085.tif 000004
【図３】
2018101085.tif 000005
【国際調査報告】
2018101085.tif 000006
2018101085.tif 000007
2018101085.tif 000008
2018101085.tif 000009